(57)【要約】【課題】  オリジナルファイル名が変更されて記録される記録媒体を用いた写真プリント処理を行う場合であっても、オリジナルファイル名に基づいて写真プリント対象を容易に特定することができるデータ処理装置を提供する。【解決手段】  画像データを特定するためのファイル名に関する処理を行う写真プリントシステム１であって、外部入出力装置１１と、主制御装置１２とを備えている。外部入出力装置１１は、画像データと画像データに付されているオリジナルファイル名を読み出す。主制御装置１２は、画像データをＤＣＦ規格に基づいてＣＤ−Ｒメディアに記録する。そして、主制御装置は１２、ＤＣＦファイル名とオリジナルファイル名或いはオリジナル基準ファイル名とを対応付けて、ＤＣＦファイル名とオリジナルファイル名或いはオリジナル基準ファイル名とを同一の画像データにリンクさせるためのリンクデータをＣＤ−Ｒメディアに記録する。【選択図】        図７
2006303667.tif 000002
【特許請求の範囲】
【請求項１】
画像データを特定するためのファイル名に関する処理を行うデータ処理装置であって、
前記画像データと前記画像データに付されているオリジナルファイル名とを読み出す読み出し部と、
前記画像データをＤＣＦ規格に基づいて記録媒体に記録し、前記ＤＣＦ規格に基づいた記録が行われる場合に前記ＤＣＦ規格に沿うように前記画像データに対して付されるＤＣＦファイル名と、前記オリジナルファイル名或いは前記オリジナルファイル名に基づく新たなオリジナル基準ファイル名と、を対応付けて、前記ＤＣＦファイル名と前記オリジナルファイル名或いは前記オリジナル基準ファイル名とを同一の前記画像データにリンクさせるためのリンクデータを前記記録媒体に記録する制御部と、
を備えたデータ処理装置。
【請求項２】
前記記録媒体は、ＣＤ−Ｒメディアである、
請求項１に記載のデータ処理装置。
【発明の詳細な説明】
【技術分野】
【０００１】
本発明は、データ処理装置、特に記録媒体から得られる画像データを特定するためのファイル名に関する処理を行うデータ処理装置に関する。
【背景技術】
【０００２】
従来から、店舗等に設置されて、デジタルカメラ等によって撮影されて記録媒体に記録された画像データを基に写真プリントを作製する写真プリントシステムが存在する。
【０００３】
この写真プリントシステムでは、画像データの読み込み装置を用いて、画像データが格納されている記録媒体から画像データを読み込む。そして、読み込んだ画像データに基づいて、写真プリント装置によって写真プリントを作製する。さらに、書込み装置によって、写真プリントを作製する際に得られる画像データを記録媒体に書き込み、保存できるようにしている。
【０００４】
このような写真プリントシステムの応用例として、例えば、以下に示す特許文献１に示すように、写真プリントを作製する際に得られる画像データを、ＣＤ−Ｒメディア等の記録媒体に記録して顧客に提供するサービスが考案されている。そして、ＣＤ−Ｒメディアを受け取った顧客は、そのＣＤ−Ｒメディアを用いることで焼き増しプリントの注文を依頼することができる。
【特許文献１】特開平１１−８８５７７号公報（平成１１年３月３０日公開）
【発明の開示】
【発明が解決しようとする課題】
【０００５】
現在、デジタルカメラ等で撮影されて記録媒体に記録されている画像データを、写真プリントシステムによって、ＣＤ−Ｒメディア等の記録媒体に書き込む場合には、大抵は、ＤＣＦ規格に沿ったＤＣＦファイル名（例えば、プリント注文された記録媒体が複数あった場合や記録媒体中の画像が既に複数の記録媒体に基づくものであった場合は、オリジナルのファイル名を書き込むと偶然同じファイル名が重複することになってしまうという問題もある）となって書き込まれる。このため、ＣＤ−Ｒメディアへの書き込みに際して、ＤＣＦ規格に沿った場合には、デジタルカメラ等によって撮影されて記録媒体に記録されている画像データのオリジナルのファイル名を上述したＤＣＦファイル名にしなければならない。
【０００６】
これにより、ＣＤ−Ｒメディア等の記録媒体を利用した顧客からの写真プリントの依頼を受けるオペレータは、顧客側が写真プリントを希望する画像データを特定するために煩雑な作業を強いられる。
【０００７】
例えば、顧客側はオリジナルファイル名を手がかりとして、写真プリントを希望する画像データを特定する場合がある。具体的には、顧客が家庭内でオリジナルファイル名を確認した後、写真店に訪れて、ＤＣＦ規格のファイル名で書き込まれたＣＤ−Ｒメディアによって写真のリプリントを要求する場合である。このような場合には、ＣＤ−Ｒメディアに格納されているＤＣＦファイル名が特定されないまま注文を受けることになる。このようにして依頼を受ける写真プリントシステムのオペレータは、オリジナルファイル名によって指定された画像データを特定するために、付属のビューアーソフト等を立ち上げて画像をモニタ等に映し出し、この映し出された画像を視認しながら依頼対象の画像データを特定する作業を行わなければならない。もしくは、写真プリントシステムのオペレータは、上述のようにしてモニタ上に映し出された画像を顧客に見せることで、焼き増しを希望する画像を顧客に指定してもらうような作業が必要となる。
【０００８】
また、このような焼き増しプリントの対象となる画像データを特定する場合において、類似したシーンの画像が複数存在している場合には特に、依頼を受けた画像データとそうでない画像データとの識別作業が困難になり、依頼対象でない画像データに基づいて焼き増ししてしまうおそれもある。
【０００９】
本発明は上述した点に鑑みてなされたものであり、本発明の課題は、オリジナルファイル名を変更して記録する記録媒体を用いた写真プリント処理を行う場合であっても、オリジナルファイル名に基づいて写真プリント対象を容易に特定することができるデータ処理装置を提供することにある。
【課題を解決するための手段】
【００１０】
第１発明のデータ処理装置は、画像データを特定するためのファイル名に関する処理を行うデータ処理装置であって、読み出し部と、制御部とを備えている。読み出し部は、画像データと画像データに付されているオリジナルファイル名とを読み出す。制御部は、画像データをＤＣＦ規格に基づいて記録媒体に記録する。そして、制御部は、ＤＣＦファイル名とオリジナルファイル名或いはオリジナル基準ファイル名とを対応付けて、ＤＣＦファイル名とオリジナルファイル名或いはオリジナル基準ファイル名とを同一の画像データにリンクさせるためのリンクデータを記録媒体に記録する。ここでのＤＣＦファイル名は、ＤＣＦ規格に基づいた記録が行われる場合にＤＣＦ規格に沿うように画像データに対して付されるファイル名である。また、オリジナル基準ファイル名は、オリジナルファイル名に基づくファイル名である。なお、記録媒体に記憶するファイル名としては、オリジナルファイル名自体に限られず、オリジナルファイル名が一部削除されたり変更されたりしたオリジナル基準ファイル名も含まれる。ここで、ＤＣＦ規格とは、異機種間での互換性を確保できるように、フォルダ構造やメモリへの記録様式等が定義されたデジタルカメラ用画像フォーマット（Design rule for Camera File system）のことをいう。
【００１１】
従来のデータ処理装置では、画像データをＤＣＦ規格に基づいて記録する場合に、ユーザが認識しているオリジナルファイル名がＤＣＦファイル名に変更されて、ユーザ以外の者による画像データの特定が困難になる場合がある。
【００１２】
これに対して第１発明のデータ処理装置では、制御部が、読み出し部によって読み出された画像データをＤＣＦ規格に基づいて記録媒体に記録する。そして、この制御部は、読み出し部によって読み出された画像データに付されているオリジナルファイル名或いはオリジナル基準ファイル名と、ＤＣＦファイル名とを対応付ける。さらに、制御部は、オリジナルファイル名或いはオリジナル基準ファイル名と対応付けられたＤＣＦファイル名とを同一の画像データにリンクさせるためのリンクデータを記録媒体に記録する。
【００１３】
これによって、同一画像データが、オリジナルファイル名或いはオリジナル基準ファイル名と、このオリジナルファイル名或いはオリジナル基準ファイル名に対応するＤＣＦファイル名と、の２つのファイルによってリンクされて記録されている記録媒体が得られる。また、この記録媒体には、ＤＣＦ規格に基づいた画像データの記録を行う前から付されているオリジナルファイル名或いはオリジナル基準ファイル名が依然として残っている。
【００１４】
したがって、ＤＣＦ規格に基づいてオリジナルファイル名を変更して記録する場合であっても、記録媒体には依然としてオリジナル基準ファイル名と画像データとがリンクされて記録されているため、このオリジナル基準ファイル名を手がかりとして画像を容易に特定することが可能となる。
【００１５】
例えば、顧客が焼き増しプリントを希望する画像データについて、顧客が認識しているオリジナルファイル名を指定することにより注文する場合であっても、オリジナル基準ファイル名（もしくはオリジナルファイル名そのもの）が対応する画像データとリンクされた状態で記録媒体に残っているために、写真プリントのオペレータは、顧客の指定したオリジナルファイル名を手がかりとして画像データを容易に特定することが可能になる。この点で、顧客側は自己の認識しているオリジナルファイル名に基づいて焼き増しプリントを注文することができるため、顧客側の利便性を向上させることができる。
【００１６】
また、記録媒体には、同一画像データがオリジナルファイル名或いはオリジナル基準ファイル名とＤＣＦファイル名とのそれぞれに対してリンクさせて記憶されている。このため、記録媒体においては、画像データを、オリジナルファイル名或いはオリジナル基準ファイル名に対応する画像データと、ＤＣＦファイル名に対応する画像データとに分けて、画像データを２重に記憶させる必要がない。
【００１７】
したがって、記録媒体に記録される画像データは１つで足りることになり、上述のようにオリジナルファイル名或いはオリジナル基準ファイル名を手がかりとして容易に画像を特定できるようにする場合であっても、記録媒体において確保すべき記憶容量の増加を抑えることが可能になる。
【００１８】
第２発明のデータ処理装置は、第１の発明のデータ処理装置であって、記録媒体としてＣＤ−Ｒメディアを用いている。
【００１９】
ここでは、記録媒体として、一度書き込んだデータを物理的に消去できず、新たなデータの書き換えが不可能なメディアであるＣＤ−Ｒメディアを採用している。
【００２０】
これにより、データ処理装置において、画像データの書き換え、変更、削除を行うことができない。このため、１つの画像データに対してオリジナルファイル名或いはオリジナル基準ファイル名とＤＣＦファイルとの２つがリンクされている場合であっても、画像データの書き換え、変更、削除を防いで、保存状態を確実に維持することが可能になる。
【００２１】
なお、ＣＤ−Ｒメディアは、一般に安価に入手することができるため、画像データを記録保存した記録媒体の提供サービスを低コストで行える。
【発明の効果】
【００２２】
第１発明に係るデータ処理装置では、ＤＣＦ規格に基づいてオリジナルファイル名を変更して記録する場合であっても、オリジナルファイル名或いはオリジナル基準ファイル名とには依然として画像データがリンクされているため、このオリジナルファイル名或いはオリジナル基準ファイル名を手がかりとして容易に画像を特定することが可能となる。
【００２３】
第２発明に係るデータ処理装置では、１つの画像データに対してオリジナルファイル名或いはオリジナル基準ファイル名とＤＣＦファイルとの２つのファイルがリンクされている場合であっても、画像データの書き換え、変更、削除を防いで、保存状態を確実に維持することが可能になる。
【発明を実施するための最良の形態】
【００２４】
＜写真プリントシステム１の概略構成＞
以下、本発明の写真プリントシステム１の実施形態を図面に基づいて説明する。
【００２５】
本実施形態の写真プリントシステム１は、図１に示すように、店舗に設置されるいわゆるデジタルミニラボ機として知られているものであり、主として、プリント注文受付装置ＩＲ、写真プリント装置ＰＲ、ＣＤ−Ｒ書込み装置ＣＲ（図２参照）等によって構成されている。
【００２６】
この写真プリントシステム１では、デジタルカメラ等と共に用いられ画像データが記録されている顧客が持ち寄るメモリカード等によって写真プリントを行い、その際に作製された画像データをＣＤ−Ｒメディアに書き込む。そして、この場合に、顧客が認識しているオリジナルファイル名をＣＤ−Ｒメディアに記録させて残しておくようにしている。
【００２７】
また、これら各装置の制御部は、ネットワークを介して互いに接続されている。なお、図１では、顧客自身が操作できるように、プリント注文受付装置ＩＲをカウンタ１００上に２台設置した場合を例示している。
【００２８】
プリント注文受付装置ＩＲは、写真プリントの作製注文を受付けて、上述したメモリカードの画像データの読み込みを行う。なお、プリント注文受付装置ＩＲは、メモリカードにおいて画像データと対応するように顧客が付したオリジナルファイル名についても、画像データと対応させながら読み込む。
【００２９】
写真プリント装置ＰＲは、プリント注文受付装置ＩＲが取り込んだ画像データや、現像処理済みの写真フィルムをスキャナで読み取って得られる画像データによって写真プリントを作製する。
【００３０】
ＣＤ−Ｒ書込み装置ＣＲ（図１では図示を省略）は、図７に示すように、写真プリント装置ＰＲにおいて写真プリントを作製した際に用いた複数の画像データを、リンク先画像データ９１として、ＣＤ−Ｒメディアに書き込む。このリンク先画像データ９１は、１つの画像データファイル９０に含まれるデータとして書き込まれる。画像データファイル９０には、リンク先画像データ９１の他に、ファイルに関する様々なデータ（ファイルのデータ９２）が書き込まれる。また、ＣＤ−Ｒ書込み装置ＣＲは、プリント注文受付装置ＩＲが読み込んだ、複数の画像データに付されている各オリジナルファイル名についてのオリジナルファイル名のデータ８１をＣＤ−Ｒメディアに書き込む。このオリジナルファイル名のデータ８１は、オリジナルファイル８０に含まれるディレクトリレコード６０として書き込まれる。なお、複数の画像データをＣＤ−Ｒメディアに対して書き込む場合には、上述した各オリジナルファイル名はそれぞれＤＣＦ規格に沿うようにＤＣＦファイル名に変更されることになる。ここでは、ＣＤ−Ｒ書込み装置ＣＲは、さらに、このＤＣＦファイル名についてのＤＣＦファイル名のデータ７１を、ＣＤ−Ｒメディアに書き込む。このＤＣＦファイル名のデータ７１は、ＤＣＦファイル７０に含まれるディレクトリレコード６０として書き込まれる。
【００３１】
このように、ＣＤ−Ｒ書込み装置ＣＲでは、画像データファイル９０と、オリジナルファイル８０と、ＤＣＦファイル７０との３つのファイルが設けられる。
【００３２】
ここで、オリジナルファイル８０に含まれるオリジナルファイル名のデータ８１と、ＤＣＦファイル７０に含まれるＤＣＦファイル名のデータ７１とは、図７に示すように、それぞれ画像データファイル９０に含まれる同一のリンク先画像データ９１に対してリンクされるようにリンク情報を保持した形で記録される。例えば、メモリカードから読み込んだ画像データが１０個ある場合には、ＤＣＦ規格のＤＣＦファイル名が１０個設けられたＤＣＦファイル７０が作製される。そして、ＤＣＦファイル７０とは別のディレクトリにおいて、オリジナルファイル名が１０個設けられたオリジナルファイル８０が作製される。そして、１０個の各ＤＣＦファイル名と、１０個のオリジナルファイル名とは、画像データファイル９０に設けられている同じリンク先画像データ９１に対してリンクされる。このように、ＣＤ−Ｒ書込み装置ＣＲでは、ＤＣＦ規格に沿った画像データの記憶を行う場合に変更されることになるオリジナルファイル名をそのまま残しつつ、このオリジナルファイル名のデータ８１を対応するリンク先画像データ９１とリンクさせてＣＤ−Ｒメディアに記憶させる。これにより、ＤＣＦファイル名に変更して記録された後であっても、ユーザが把握しているオリジナルファイル名に基づいて画像データを容易に特定することができる。
【００３３】
なお、ＤＣＦファイル名のデータ７１も、上述のように対応しているリンク先画像データ９１に対してリンクされるように記録されている。このため、オリジナルファイル名のデータ８１からだけでなく、ＤＣＦファイル名のデータ７１を直接指示することで、リンク先画像データ９１を特定することも可能となっている。
【００３４】
なお、ここでのＣＤ−Ｒ書込み装置ＣＲによる書き込みでは、ＣＤ−ＲＯＭにおいて長いファイル名を用いた記録を可能としており、２バイトコードにも対応するジュリエットフォーマットを採用している。このジュリエットフォーマットは、ＩＳＯ９６６０との上位互換性を持つフォーマットであり（最大で６４文字までの長いファイル名とすることが可能であると同時に、８．３形式のファイル名も含んでいる）、多くのＣＤ−ＲＯＭでこのフォーマットが利用されている。
【００３５】
＜プリント注文受付装置ＩＲの概略構成＞
プリント注文受付装置ＩＲには、図示しないが、主として、ＣＤ−Ｒメディアに記録された画像データ等を読み取るためのＣＤ−ＲＯＭドライブと、メモリカードリーダと、タッチパネル式のモニタと、これらの機器を制御する制御装置とが設けられている。
【００３６】
ここでのＣＤ−ＲＯＭドライブは、ＣＤ−Ｒメディアに記録された画像データおよびオリジナルファイル名を読み取る。そして、メモリカードリーダは、各種仕様のメモリカードに記録された画像データおよびオリジナルファイル名を読み取る。なお、タッチパネル式のモニタは、プリント注文を受け付ける際の顧客に対する案内表示等を表示する。
【００３７】
＜写真プリント装置ＰＲの概略構成＞
本実施形態の写真プリント装置ＰＲは、図１および図２のブロック図に示すように、管理装置３や露光・現像装置４を備えている。
【００３８】
管理装置３は、写真プリントシステム１全体の動作の管理を行う。
【００３９】
露光・現像装置４は、管理装置３から受け取った露光用の画像データに基づいて印画紙２に対して露光処理を施して写真プリントを作製する。
【００４０】
＜管理装置３の構成＞
管理装置３には、図２の概略図に示すように、フィルムスキャナ１０と、外部入出力装置１１と、主制御装置１２とを備えている。
【００４１】
フィルムスキャナ１０は、現像済みのフィルムの駒画像の読取り処理を行う。
【００４２】
外部入出力装置１１は、メモリーリーダ、ＭＯドライブおよびＣＤ−Ｒメディアドライブ等を有している。
【００４３】
主制御装置１２は、汎用小型コンピュータシステムによって構成されており、外部入出力装置１１の制御、写真プリントシステム１全体の管理等を行う。この主制御装置１２には、仕上がりプリント画像をシミュレートしたシミュレート画像や各種の制御用の情報を表示するモニタ１２ａと、露光条件の手動設定等や制御情報の入力操作をするための操作卓１２ｂ（図１参照）が接続されている。
【００４４】
なお、上述したフィルムスキャナ１０は、図２に示すように、ハロゲンランプ４０、調光フィルタ４１、ミラートンネル４２、フィルムキャリア４３、ＣＣＤラインセンサユニット４４、レンズ４５、ミラー４６、処理回路４７、読取制御装置４８等が設けられている。
【００４５】
調光フィルタ４１は、ハロゲンランプ４０から出射する光の色バランスを調整する。ミラートンネル４２は、調光フィルタ４１を通過した光を均等に混色する。フィルムキャリア４３は、搬送機構４３ａ等が備えられており、フィルムを所定の読取り位置に搬送する。ＣＣＤラインセンサユニット４４は、フィルムの駒画像に基づいて光電変換を行う。このＣＣＤラインセンサユニット４４は、約５０００個のＣＣＤ素子をフィルムの幅方向に配列したＣＣＤラインセンサを３列有しており、各ＣＣＤラインセンサの受光面には夫々赤色、緑色、青色のカラーフィルタが形成されている。ＣＣＤラインセンサユニット４４は、これにより、フィルムの駒画像を色分解して検出する。レンズ４５は、フィルムの画像をＣＣＤラインセンサユニット４４上に結像させる。ミラー４６は、レンズ４５からの光路を９０度屈曲させて、ＣＣＤラインセンサユニット４４側に向かわせる。処理回路４７は、ＣＣＤラインセンサユニット４４の出力信号の増幅およびＡ／Ｄ変換等を実行する。読取制御装置４８は、フィルムスキャナ１０全体の制御を行う。読取制御装置４８は、主制御装置１２からの読取指令に基づいて、フィルムキャリア４３にセットされたフィルムの搬送を開始させる。また、読取制御装置４８は、これと同時に、処理回路４７から出力されるそのフィルムの駒画像の画像データを主制御装置１２へ出力する。
【００４６】
主制御装置１２は、フィルムスキャナ１０から入力されたフィルムの駒画像の画像データ、外部入出力装置１１から入力された画像データを取得する。さらに、主制御装置１２には、画像処理装置（図示せず）が設けられている。この画像処理装置は、プリント注文受付装置ＩＲから入力された画像データを写真プリントの作製に適した画像データとなるように画像処理を行って露光用の画像データを生成する。
【００４７】
＜露光・現像装置４の概略構成＞
露光・現像装置４（露光・現像装置ＰＲ）は、露光制御装置２１、現像処理装置２２、現像制御装置２３、プリンタ制御装置２４、印画紙搬送系ＰＴ等が設けられている。
【００４８】
露光制御装置２１は、ＰＬＺＴプリントヘッド２０ａを有する露光ユニット２０の制御を行う。現像処理装置２２は、露光ユニット２０にて露光された印画紙２を現像処理する。現像制御装置２３は、現像処理装置２２内の印画紙搬送系の制御や現像処理液の管理を行う。プリンタ制御装置２４は、露光・現像装置４全体の制御を行う。印画紙搬送系ＰＴは、印画紙マガジン８（図１参照）から引き出された印画紙２を多数の搬送ローラ２５等によって現像処理装置２２まで搬送する。
【００４９】
露光・現像装置４には、図１に示すように、現像処理装置２２にて現像処理および乾燥処理された印画紙２をオーダー毎に分類するためのソータ２６と、排出口２２ａから排出された印画紙２をソータ２６へ搬送するコンベア２７とが設けられている。
【００５０】
さらに、印画紙搬送系ＰＴの搬送経路の途中には、印画紙マガジン８から引き出された長尺の印画紙２を設定プリントサイズに切断するカッタ２８と、印画紙２の裏面側に所定の情報を印字するバックプリント装置２９とが設けられている。このバックプリント装置２９は、メモリカードに保存されている画像データに基づいて写真プリントを作製する場合には、その画像のメモリカードに記録されているオリジナルファイル名をプリントする。
【００５１】
＜写真プリントの作製動作＞
次に、上記構成の写真プリントシステム１による写真プリントの作製動作の概略を説明する。
【００５２】
（注文受付け直後の動作）
先ず、顧客からのプリント注文を受ける場合において画像データやプリント対象の情報を読み込む動作について、図３に示すフローチャートに基づいて説明する。
【００５３】
上述のように、写真プリントの作製を依頼する顧客は、自らプリント注文受付装置ＩＲを操作してプリント注文することができる。また、これに限られず、顧客は、写真プリント装置ＰＲのオペレータに対してメモリカード、写真フィルム或いはＣＤ−Ｒメディア等を手渡しすることでプリント注文を行うという一般的な取扱いも可能である。
【００５４】
なお、図３のフローチャートに示す各処理は、顧客自身がカウンタ１００上のプリント注文受付装置ＩＲを操作してプリント注文する場合には、プリント注文受付装置ＩＲに設けられた制御装置において実行される。一方、オペレータが外部入出力装置１１にメモリカード等をセットして顧客から受けたプリント注文のデータを入力する場合は、管理装置３の主制御装置１２において実行される。
【００５５】
以下、オペレータが操作する場合について説明する。
【００５６】
この場合には、顧客の持参したメモリカードあるいはＣＤ−Ｒメディアを外部入出力装置１１の所定の位置にセットして、操作卓１２ｂを操作することで処理の開始を指示する。これにより、図３のフローチャートに示す処理が開始される。具体的には、顧客がリプリントを望む画像データについてのオリジナルファイル名を家庭内で確認した後、写真店に訪れて、ＤＣＦ規格のファイル名で書き込まれたＣＤ−Ｒメディアによって写真のリプリントを要求する場合である。
【００５７】
ステップ＃１では、先ず、プリント注文受付装置ＩＲが、セットされたメディアに格納されている画像データファイル９０のリンク先画像データ９１およびＤＣＦファイル７０のＤＣＦファイル名のデータ７１を読み込む。
【００５８】
ステップ＃２では、主制御装置１２が、セットされたメディアがＣＤ−Ｒメディアであるか否か判断する。ここで、ＣＤ−Ｒメディアであると判断した場合には、ステップ＃３に移行する。ＣＤ−Ｒメディアではないと判断した場合には、ステップ＃６に移行する。
【００５９】
ステップ＃３では、主制御装置１２が、ＣＤ−Ｒメディアに所定の情報ファイルが存在するか否かを判断する。ここで、情報ファイルが記録されていると判断された場合は、ステップ＃４に移行する。情報ファイルが記録されていないと判断された場合は、ステップ＃６に移行する。
【００６０】
ここで、情報ファイルとは、以下のようなファイルをいう。すなわち、後述のように、情報ファイルは、デジタルカメラによって撮影される等してメモリカードに保存された画像データに基づいて写真プリントを行った場合に作製されるオリジナルファイル名のデータ８１を有している。例えば、そのメモリカードの画像データに付されているオリジナルファイル名をそのまま保存したファイルを含んでいる。また、この情報ファイルは、この情報ファイルを記録しているＣＤ−Ｒメディアに記録されている画像データのＤＣＦファイル名のデータ７１と、このＤＣＦファイル名のデータ７１とオリジナルファイル名のデータ８１とを対応付けた情報と、を有している。
【００６１】
したがって、ＣＤ−Ｒメディアに上述した情報ファイルが存在するということは、過去に写真プリントが行われ、写真プリントと共に顧客に対してＣＤ−Ｒメディアが提供されており、顧客がそのＣＤ−Ｒメディアを利用して焼き増しプリントを依頼していることを意味する。
【００６２】
ステップ＃４では、外部入出力装置１１が、情報ファイルを読み込んで、ステップ＃５に移行する。具体的には、オリジナルファイル名のデータ８１を含んだオリジナルファイル８０と、ＤＣＦファイル名のデータ７１を含んだＤＣＦファイル７０と、ＤＣＦファイル名のデータ７１とオリジナルファイル名のデータ８１とを対応付けた情報と、を読み込んで、ステップ＃５に移行する。
【００６３】
ステップ＃５では、主制御装置１２が、オリジナルファイル名表示を有効設定とする処理を行い、ステップ＃７に移行する。ここで、オリジナルファイル名表示を有効設定とする処理を行うことで、図５に示すように、ウィンドウ表示において、「オリジナルファイル名を表示する」という文字列に対応するチェックボックス５０が表示される。このチェックボックス５０は、チェックする入力操作を受付け可能な状態で表示される。
【００６４】
ステップ＃６は、外部入出力装置１１にセットされたメディアがＣＤ−Ｒメディアではなくメモリカード等である場合や、ＣＤ−Ｒメディアであっても情報ファイルが存在しない場合に実行される処理である。このステップ＃６では、主制御装置１２が、オリジナルファイル名表示を無効設定とする処理を行い、ステップ＃７に移行する。ここで、オリジナルファイル名表示を無効設定とする処理を行うことで、図５に示すように、ウィンドウ表示において、「オリジナルファイル名を表示する」という文字列に対応するチェックボックス５０が、チェックを入れる入力操作を受け付けない状態で表示されるようになる。
【００６５】
ステップ＃７では、主制御装置１２が、図５に示すように、写真プリントを作製する画像ファイルを特定するためのウィンドウ表示をモニタ１２ａにおいて表示させる。ここでは、図５に示すように、モニタ１２ａに表示されるウィンドウ表示では、プリント候補ファイル表示欄５１、プリント指定ファイル表示欄５２、プリント選択ボタン表示５３、一括選択ボタン表示５４、決定ボタン表示５５が表示される他、その他各種の機能を有するボタン表示等が表示される。
【００６６】
プリント候補ファイル表示欄５１では、外部入出力装置１１にセットされたメモリカード等のメディアに記録されている画像データのオリジナルファイル名に対応するＤＣＦファイル名（ステップ＃１で読み取ったもの）をリスト表示する。プリント指定ファイル表示欄５２は、プリント候補ファイル表示欄５１に表示されたＤＣＦファイル名の中から写真プリントを作製する画像データとして指定されたものをリスト表示する。プリント選択ボタン表示５３は、プリント候補ファイル表示欄５１に表示されているファイルリストの中から選択されたＤＣＦファイル名の表示をプリント指定ファイル表示欄５２へコピーする指示入力を受け付けるためのボタン表示である。
【００６７】
一括選択ボタン表示５４は、プリント候補ファイル表示欄５１に表示されているファイルリストの全てを一括してプリント指定ファイル表示欄５２へコピーする指示入力をするためのＧＵＩ用表示である。
【００６８】
決定ボタン表示５５は、プリント指定ファイル表示欄５２にリスト表示されたファイルについて写真プリントの作製を決定する指示入力をするためのＧＵＩ用表示である。
【００６９】
モニタ１２ａに図５に示すウィンドウ表示が表示されている状態で、オペレータがマウス（図示せず）等によってチェックボックス５０にチェックを入れる入力操作を行うと（ステップ＃８，＃１０)、図６に示すように、プリント候補ファイル表示欄５１の表示を、ＤＣＦファイル名と対にしてオリジナルファイル名を「＜＞」で囲んで表示する（ステップ＃１１）。なお、図６においては、ＤＣＦ規格のファイル名とオリジナルファイル名を並べて表示（オリジナルファイル名を「＜＞」で囲んでいる。）させた場合を例に挙げているが、ＤＣＦ規格のファイル名、オリジナルファイル名の両方から画像データを特定できればよいため、オリジナルファイル名だけ表示するようにしてもよい。
【００７０】
これにより、オペレータは、顧客からオリジナルファイル名を指定することによる焼き増しプリントの注文を受けたときに、このオリジナルファイル名表示を参考にして写真プリントを作製する画像データを特定することができる。また、このオリジナルファイル名は対応する画像データとリンクされているため、目的の画像データを容易に把握することができる。
【００７１】
オペレータが、写真プリントを作製する画像ファイルの選択を完了して、図５等の表示における決定ボタン表示５５を操作すると（ステップ＃８、＃９）、ステップ＃１２に移行する。
【００７２】
ステップ＃１２では、外部入出力装置１１にセットされているメディアの画像データファイル９０の中から、プリント指定ファイル表示欄５２にリストされている画像データを読み出す。
【００７３】
ステップ＃１３では、主制御装置１２が、読み出した画像データを対応するオリジナルファイル名と共に主制御装置１２の画像処理装置（図示せず）へ送る。
【００７４】
（主制御装置１２のプリント制御動作）
次に、上述のようにして各駒画像の画像データおよび注文条件のデータを受け取った主制御装置１２の動作について、図４に示すフローチャートに基づいて説明する。
【００７５】
写真プリント装置ＰＲでは、モニタ１２ａにシミュレート画像を表示して熟練したオペレータが精密に色調整作業を行うことが可能であり、その作業が完了すると図４に示す処理を開始する。
【００７６】
先ず、主制御装置１２は、外部入出力装置１１やプリント注文受付装置ＩＲから受け取った画像データについて各駒画像毎に順次露光・現像装置４へ出力し、印画紙２へプリント処理させる（ステップ＃２１）。このとき、各画像データのオリジナルファイル名も併せて露光・現像装置４へ出力する。露光・現像装置４では、受け取ったオリジナルファイル名をバックプリント装置２９にてバックプリントする。
【００７７】
全ての画像データについて出力が完了すると（ステップ＃２２）、主制御装置１２は、写真プリントを作製した画像の画像データをＣＤ−Ｒメディアへ記録保存する指示を受けているか否かと判断する（ステップ＃２３）。
【００７８】
また、主制御装置１２は、写真プリントの作製の基となったメディアにおけるオリジナルファイル名（図３のステップ＃４で取得したファイル名であり、写真プリントにバックプリントしたファイル名）と、ＣＤ−Ｒメディアに書き込む画像データのＤＣＦファイル名とを対応させた情報と、を有する情報ファイルを作製する。
【００７９】
そして、主制御装置１２は、各駒画像の画像データをＪＰＥＧ等の汎用フォーマットとしたリンク先画像データ９１によって画像データファイル９０を編成する（ステップ＃２４）。そして、主制御装置１２は、その情報ファイルおよび画像データファイル９０を、ＣＤ−Ｒ書込み装置ＣＲへ出力する（ステップ＃２５）。
【００８０】
ＣＤ−Ｒ書込み装置ＣＲは、夫々別ファイルとして構成された情報ファイルおよび画像データファイル９０を受け取る。そして、セットされているＣＤ−Ｒメディアに上述したＤＣＦの標準規格に沿うようにそれらのファイルを書き込む。すなわち、オリジナルファイル名のデータ８１を含んだオリジナルファイル８０と、ＤＣＦファイル名のデータ７１を含んだＤＣＦファイル７０と、リンク先画像データ９１を含んだ画像データファイル９０とが書き込まれる（図７参照）。ここで、オリジナルファイル名のデータ８１およびＤＣＦファイル名のデータ７１は、同じリンク先画像データ９１に対応させるようにリンクさせて書き込まれる。
【００８１】
このように作製された情報ファイルは、図３のステップ＃３以降で利用されて、この情報ファイルを有するＣＤ−Ｒメディアで焼き増しプリントを注文したときに、焼き増しプリントを作製する画像データの特定を容易に行うことができるようにしている。
【００８２】
以上、オペレータが、顧客の注文に応じて外部入出力装置１１から写真プリントを作製する画像データを取り込んだ場合について説明したが、プリント注文受付装置ＩＲから顧客自身がプリント注文する場合についても同様の処理である。
【００８３】
上述のようにして管理装置３から露光・現像装置４に送られる露光用の画像データは、露光・現像装置４のプリンタ制御装置２４に備えられているメモリに記億される。
【００８４】
プリンタ制御装置２４は、印画紙搬送系ＰＴから得られる印画紙２の搬送情報に基づいて、印画紙２の前端が所定の露光開始位置まで搬送されて来たことを検知すると、露光制御装置２１に対して露光作動の開始を指令すると共に、露光ユニット２０の露光処理スピードに対応した速度で露光用画像データを露光制御装置２１へ順次送信する。
【００８５】
露光制御装置２１は、受け取った露光用画像データに基づいてＰＬＺＴプリントヘッド２０ａの各光シャッタを作動させて印画紙２にプリント画像の潜像を形成する。
【００８６】
露光ユニット２０にて露光処理された印画紙２は、印画紙搬送系ＰＴにて現像処理装置２２へ搬送されて、各現像処理タンクを順次通過することにより現像される。そして、現像処理された印画紙２は、さらに乾燥処理され、この後に排出口２２ａからコンベア２７上に排出されることで、ソーダ２６においてオーダー毎にまとめられる。
【００８７】
＜上記実施形態の写真プリントシステム１の特徴＞
（１）
本記実施形態の写真プリントシステム１では、同一画像データがオリジナルファイル名とオリジナルファイル名に対応するＤＣＦファイル名との２つのファイルからリンクされて記録されているＣＤ−Ｒメディアが得られる。こうして得られるＣＤ−Ｒメディアには、ＤＣＦ規格に沿った記録を行う前から付されているオリジナルファイル名が依然として残っている。
【００８８】
したがって、ＤＣＦ規格に基づいて顧客が認識しているオリジナルファイル名を変更してＣＤ−Ｒメディアに記録する場合であっても、オリジナルファイル名のデータ８１をＣＤ−Ｒメディアに残すことができる。さらに、オリジナルファイル名のデータ８１とリンク先画像データ９１とがリンクされて記録されているため、このオリジナルファイル名を手がかりとして容易に画像を特定できる。
【００８９】
例えば、写真プリントの裏面にオリジナルファイル名がプリントされており、顧客がそのオリジナルファイル名を手がかりに焼き増しする画像を指定するような場合がある。このような場合であっても、ＣＤ−Ｒメディアにおいてオリジナルファイル名データとリンク先画像データ９１とがリンクされて記録されているために、写真プリントのオペレータは、顧客に指定されたオリジナルファイル名を手がかりとして画像データを容易に特定することができる。この点で、顧客側は自己の認識しているオリジナルファイル名による焼き増しプリントの注文ができるため、顧客側の利便性を向上させることができる。なお、ここでのオリジナルファイル名は、ＤＣＦ規格の規制を受けない顧客が望む任意の名前とすることができるため、顧客の利便性をよりいっそう向上させることができる。
【００９０】
また、ＣＤ−Ｒメディアには、同一のリンク先画像データ９１がオリジナルファイル名のデータ８１とＤＣＦファイル名のデータ７１とのそれぞれに対してリンクさせて記憶されている。このため、ＣＤ−Ｒメディアにおいては、画像データを、オリジナルファイル名に対応する画像データと、ＤＣＦファイル名に対応する画像データとに分けて、画像データを２重に記憶させる必要がない。したがって、図７に示すように、ＣＤ−Ｒメディアに記録される画像データファイル９０は１つで足りることになり、上述のようにオリジナルファイル名によって画像特定を容易化させる場合であっても、ＣＤ−Ｒメディアにおいて確保すべき記憶容量の増加を、オリジナルファイル８０の容量相当分程度の増加に抑えることができる。
【００９１】
（２）
本記実施形態の写真プリントシステム１では、記録媒体として、一度書き込んだデータを物理的に消去できず、新たなデータの書き換えが不可能なメディアであるＣＤ−Ｒメディアを採用している。
【００９２】
これにより、写真プリントシステム１において、画像データの書き換え、変更、削除を行うことができない。このため、画像データが容易に書き換えられることや削除されることがないので、上記写真プリントシステム１において１つの画像データに対してオリジナルファイル名とＤＣＦファイル名との２つがリンクされた形であっても、長期の使用を通じてこれら２つのファイル名だけが残るという問題も防ぐことができる。
【００９３】
また、ＣＤ−Ｒメディアは、一般に安価に入手することができるため、上記写真プリントシステム１における画像データを記録保存した記録媒体の顧客への提供サービスを低コストで実現することができる。
【００９４】
（３）
本記実施形態の写真プリントシステム１では、同一画像データが、オリジナルファイル名とオリジナルファイル名に対応するＤＣＦファイル名との２つのファイルからリンクされている。
【００９５】
これにより、例えば、プリント注文された記録媒体が複数あった場合や記録媒体中の画像が既に複数の記録媒体に基づくものであった場合であって、従来の写真プリントシステムではオリジナルのファイル名を書き込むと偶然同じファイル名が重複することになってしまう場合であっても、オリジナルファイル名を残すことで、所望の画像データを容易に特定することができる。
【００９６】
＜他の実施形態＞
以上、本発明の一実施形態について説明したが、本発明はこれに限定されるものではなく、発明の要旨を逸脱しない範囲で以下に示す変形例のように種々の変更が可能である。
【００９７】
（Ａ）
上記実施形態に係る写真プリントシステム１では、ＣＤ−Ｒメディア等の記録媒体にＤＣＦファイル名のデータ７１とオリジナルファイル名のデータ８１とを記憶させる場合を例に挙げて説明した。
【００９８】
しかし、本発明はこれに限られるものではなく、ＤＣＦファイル名と、新たにオリジナルファイル名に基づくオリジナル基準ファイル名を作成して、その両方を記憶させる形であってもよい。
【００９９】
（Ｂ）
上記実施形態に係る写真プリントシステム１では、記録媒体としてＣＤ−Ｒメディアを例に挙げて説明した。
【０１００】
しかし、本発明はこれに限られるものではなく、メモリカードや各種メディアに、ＤＣＦファイル名とオリジナルファイル名とを記憶させてもよい。
【０１０１】
（Ｃ）
上記実施形態に係る写真プリントシステム１では、ＣＤ−Ｒ書込み装置ＣＲによって使用される記録媒体の一例としてＣＤ−Ｒメディアを例に挙げて説明した。
【０１０２】
しかし、本発明はこれに限られるものではなく、書き込みを行う記録媒体としては、上記ＣＤ−Ｒメディア以外にも、ＤＶＤ−Ｒメディアや光磁気ディスク等であってもよい。この場合であっても上記実施形態と同様の効果が得られる。
【産業上の利用可能性】
【０１０３】
本発明によれば、オリジナルファイル名を変更して記録する記録媒体を用いた写真プリント処理を行う場合であっても、オリジナルファイル名に基づいて写真プリントする対象画像を容易に特定することができるため、画像データを特定するためのファイル名に関する処理を行うデータ処理装置や写真プリントシステム等への適用が特に有用である。
【図面の簡単な説明】
【０１０４】
【図１】本発明の一実施形態に係る写真プリントシステムの外観図。
【図２】写真プリントシステムのブロック構成図。
【図３】注文受付け時におけるプリント処理を示すフローチャート。
【図４】プリント制御時におけるプリント処理を示すフローチャート。
【図５】モニタに表示されるウィンドウ表示（ＤＣＦファイル名）を示す図。
【図６】モニタに表示されるウィンドウ表示（オリジナルファイル名）を示す図。
【図７】オリジナルファイルおよびＤＣＦファイルと画像データファイルとの対応関係を示す図。
【符号の説明】
【０１０５】
１      写真プリントシステム（データ処理装置）
３      管理装置
４      露光・現像装置
１０      フィルムスキャナ
１１      外部入出力装置（読み出し部）
１２      主制御装置（制御部）
２１      露光制御装置
２２      現像処理装置
２３      現像制御装置
２４      プリンタ制御装置
６０      ディレクトリレコード
７０      ＤＣＦファイル
７１      ＤＣＦファイル名のデータ
８０      オリジナルファイル
８１      オリジナルファイル名のデータ
９０      画像データファイル
９１      リンク先画像データ
９２      ファイルのデータ
ＣＲ      ＣＤ−Ｒ書込み装置
ＩＲ      プリント注文受付装置
ＰＲ      写真プリント装置
ＰＴ      印画紙搬送系
【図１】
2006303667.tif 000003
【図２】
2006303667.tif 000004
【図３】
2006303667.tif 000005
【図４】
2006303667.tif 000006
【図５】
2006303667.tif 000007
【図６】
2006303667.tif 000008
【図７】
2006303667.tif 000009